(57)【要約】【課題】ペットシートから尿などが流出することを抑制する新たな技術を提供する。【解決手段】本発明に係るペットシート１００は、透液性の表面シート１１０と不透液性の裏面シート１２０を有するペット排泄物用のペットシートが構成される。当該ペットシート１００は、表面シート１１０と裏面シート１２０を表面シート側に突出するように折り曲げられて形成された第１折り曲げ部１４０と第２折り曲げ部１４１を有する。そして、第１折り曲げ部１４０と第２折り曲げ部１４１のそれぞれの両側に位置する表面シート１１０と裏面シート１２０が展開されてペットシート１００として使用されるよう構成されている。この第１折り曲げ部１４０と第２折り曲げ部１４１の表面シート１１０に形成された稜線は、表面シート１１０に平行な第１方向１０に沿って、第１方向１０における表面シート１１０の一方の端部から他方の端部まで連続して延在している構成である。【選択図】図１
2014014287.tif 000002
【特許請求の範囲】
【請求項１】
透液性の表面シートと不透液性の裏面シートを有するペット排泄物用のペットシートであって、
前記表面シートと前記裏面シートを前記表面シート側に突出するように折り曲げられて形成された第１山折り部と第２山折り部を有し、
前記第１山折り部と前記第２山折り部のそれぞれの両側に位置する前記表面シートと前記裏面シートが展開されてペットシートとして使用されるよう構成されており、
前記第１山折り部と前記第２山折り部の前記表面シートに形成された稜線は、前記表面シートに平行な第１方向に沿って、前記第１方向における前記表面シートの一方の端部から他方の端部まで連続して延在している構成であることを特徴とするペットシート。
【請求項２】
請求項１に記載のペットシートであって、
前記第１山折り部と前記第２山折り部の間の前記表面シートおよび前記裏面シートが、ペットの排泄物を保持する保持領域として構成されていることを特徴とするペットシート。
【請求項３】
請求項２に記載のペットシートであって、
前記第１山折り部を挟んで前記保持領域と反対側の領域と、前記第２山折り部を挟んで前記保持領域と反対側の領域がそれぞれ、前記ペットシートとして使用される際に、当該ペットシートが載置される載置箇所と当接し、前記載置箇所に対する前記ペットシートの移動を規制する移動規制部を構成していることを特徴とするペットシート。
【請求項４】
請求項１〜３のいずれか１項に記載のペットシートであって、
前記ペットシートは、包装体に収納可能に構成されており、
前記包装体に収納された収納状態においては、前記第１山折り部および前記第２山折り部で折り畳まれて収納されていることを特徴とするペットシート。
【請求項５】
請求項１〜４のいずれか１項に記載のペットシートであって、
前記第１山折り部は、前記表面シートに平行、かつ前記第１方向に交差する第２方向における前記表面シートおよび前記裏面シートの一方側の端部領域に形成されており、
前記第２山折り部は、前記第２方向における前記表面シートおよび前記裏面シートの他方側の端部領域に形成されていることを特徴とするペットシート。
【請求項６】
請求項１〜５のいずれか１項に記載のペットシートであって、
前記表面シートと前記裏面シートの間に配置された吸収体を有し、
前記第１山折り部および前記第２山折り部には、当該第１山折り部および第２山折り部以外の領域に比べて前記吸収体の密度が低い低密度部が形成されていることを特徴とするペットシート。
【請求項７】
請求項６に記載のペットシートであって、
前記吸収体は、前記表面シートに接着されており、
前記表面シートは、前記第１山折り部および前記第２山折り部で折り畳まれて不可逆的な変形を生じる構成であることを特徴とするペットシート。
【請求項８】
請求項１〜７のいずれか１項に記載のペットシートであって、
前記ペットシートは、矩形状に形成されていることを特徴とするペットシート。
【請求項９】
請求項８に記載のペットシートであって、
前記第１山折り部と前記第２山折り部の前記稜線は、互いに平行に形成されていることを特徴とするペットシート。
【請求項１０】
請求項９に記載のペットシートであって、
前記第１方向は、前記ペットシートの辺が延在する方向に一致しており、
前記稜線は、当該辺に平行に形成されていることを特徴とするペットシート。
【請求項１１】
請求項１０に記載のペットシートであって、
前記第１山折り部と前記第２山折り部の稜線はそれぞれ、前記ペットシートの前記辺から８ｃｍ以内の領域に形成されていることを特徴とするペットシート。
【請求項１２】
透液性の表面シートと不透液性の裏面シートを有するペット排泄物用のペットシートと、当該ペットシートを収納した包装体からなるペットシート包装体パッケージであって、
前記ペットシートには、前記表面シートと前記裏面シートを前記表面シート側に突出するように折り曲げられて形成された第１山折り部と第２山折り部が形成されており、
当該ペットシートは、前記山折り部で折り畳まれて前記包装体に収納されており、
前記第１山折り部と前記第２山折り部のそれぞれの両側に位置する前記表面シートと前記裏面シートが展開されてペットシートとして使用されるように構成されており、
前記第１山折り部と前記第２山折り部の前記表面シートに形成された稜線は、前記表面シートに平行な第１方向に沿って、前記第１方向における前記表面シートの一方の端部から他方の端部まで連続して延在している構成であることを特徴とするペットシート包装体パッケージ。
【請求項１３】
請求項１２に記載のペットシート包装体パッケージであって、
前記第１山折り部と前記第２山折り部の間の前記表面シートおよび前記裏面シートが、ペットの排泄物を保持する保持領域として構成されていることを特徴とするペットシート包装体パッケージ。
【請求項１４】
請求項１３に記載のペットシート包装体パッケージであって、
前記第１山折り部を挟んで前記保持領域と反対側の領域と、前記第２山折り部を挟んで前記保持領域と反対側の領域がそれぞれ、前記ペットシートとして使用される際に、当該ペットシートが載置される載置箇所と当接し、前記載置箇所に対する前記ペットシートの移動を規制する移動規制部を構成していることを特徴とするペットシート包装体パッケージ。
【請求項１５】
請求項１２〜１４のいずれか１項に記載のペットシート包装体パッケージであって、
前記第１山折り部は、前記表面シートに平行、かつ前記第１方向に交差する第２方向における前記表面シートおよび前記裏面シートの一方側の端部領域に形成されており、
前記第２山折り部は、前記第２方向における前記表面シートおよび前記裏面シートの他方側の端部領域に形成されていることを特徴とするペットシート包装体パッケージ。
【請求項１６】
請求項１５に記載のペットシート包装体パッケージであって、
前記ペットシートは、前記第２方向に関する前記第１山折り部と前記第２山折り部の間がさらに折り畳まれて前記包装体に収納されていることを特徴とするペットシート包装体パッケージ。
【発明の詳細な説明】
【技術分野】
【０００１】
本発明は、ペットの排泄物を受けるためのペットシートおよびペットシートを収容した包装体からなるペットシート包装体パッケージに関する。
【背景技術】
【０００２】
特開平９−３７６７０号公報には、ペット用の吸収パネルが開示されている。当該吸収パネルは、表面シートと、裏面シートとの間に、吸液性のコアパネルを有している。当該コアパネルは、相対的に厚みが薄い中央域と、相対的に厚みが厚い側縁域を有している。これにより、吸収パネルは、裏面側が平らに構成されており、表面側の側縁域が中央域よりも高く、すなわち表面側に突出して構成されている。これにより、吸収パネルの周縁域から尿が流出することを阻止している。
【先行技術文献】
【特許文献】
【０００３】
【特許文献１】特開平９−３７６７０号公報
【発明の開示】
【発明が解決しようとする課題】
【０００４】
ところで、上記ペット用の吸収パネルにおいては、相対的に厚みが薄い領域と相対的に厚みが厚い領域を形成するため、吸収パネルの構造が複雑化する。そこで、本発明は、かかる点に鑑みてなされたものであり、ペットシートから尿などが流出することを抑制する新たな技術を提供することを目的とする。
【課題を解決するための手段】
【０００５】
上記課題を解決するため、本発明に係るペットシートは、透液性の表面シートと不透液性の裏面シートを有するペット排泄物用のペットシートが構成される。当該ペットシートは、表面シートと裏面シートを表面シート側に突出するように折り曲げられて形成された第１山折り部と第２山折り部を有する。そして、第１山折り部と第２山折り部のそれぞれの両側に位置する表面シートと裏面シートが展開されてペットシートとして使用されるよう構成されている。この第１山折り部と第２山折り部の表面シートに形成された稜線は、表面シートに平行な第１方向に沿って、第１方向における表面シートの一方の端部から他方の端部まで連続して延在している構成である。山折り部は、表面シートと裏面シートを表面シート側に突出するように折り曲げられて形成されており、ただ単に折り曲げ部とも称する。
【０００６】
本発明によれば、第１折り曲げ部と第２折り曲げ部が形成されているため、第１折り曲げ部と第２折り曲げ部の間に配置された表面シートと裏面シートで形成された領域に保持されたペットの排泄物が第１山折り部および第２山折り部の外側に流出することを抑制できる。すなわち、第１山折り部と第２山折り部は、表面シート側に突出するように表面シートと裏面シートを折り曲げて形成されているため、ペットシートとして使用される際に、第１山折り部と第２山折り部の稜線が表面シートの他の部分よりも高い位置に配置される。したがって、ペットの排泄物である液体や固体が第１山折り部と第２山折り部の外側に流出することを抑制できる。
【０００７】
本発明に係るペットシートの更なる形態によれば、第１山折り部と第２山折り部の間の表面シートおよび裏面シートが、ペットの排泄物を保持する保持領域として構成されている。さらに、第１山折り部を挟んで保持領域と反対側の領域と、第２山折り部を挟んで保持領域と反対側の領域がそれぞれ、ペットシートとして使用される際に、ペットシートが載置される載置箇所と当接し、これにより載置箇所に対するペットシートの移動を規制する移動規制部を構成している。
【０００８】
本形態によれば、第１山折り部と第２山折り部を形成することにより、第１山折り部と第２山折り部の間の表面シートおよび裏面シートが、ペットの排泄物を保持する保持領域として機能する。また、第１山折り部と第２山折り部が形成されていることにより、裏面シートにおける第１山折り部と第２山折り部の外側の領域（端部領域ともいう）が、ペットシートとして使用される際に、裏面シートが載置される載置箇所（床面）に対して当接する。換言すると、第１山折り部と第２山折り部の外側の領域はそれぞれ、第１山折り部および第２山折り部よりも低い位置に配置されるため、裏面シートが載置される載置箇所（床面）に対して確実に当接する。この裏面シートの端部領域と載置箇所の当接によって摩擦が生じ、ペットシートの移動を規制している。すなわち、裏面シートの端部領域が、移動規制部を形成している。したがって、ペットシートの端部領域である移動規制部がペットシートの移動を規制することができる。なお、移動規制部としては、裏面シートの端部領域に滑り止め部材が貼付けられていてもよい。
【０００９】
本発明に係るペットシートの更なる形態によれば、ペットシートは、包装体に収納可能に構成されており、包装体に収納された収納状態においては、第１山折り部および第２山折り部で折り畳まれて収納されている。
【００１０】
本形態によれば、ペットシートは、第１山折り部と第２山折り部で折り畳まれて、包装体に収納可能であるため、ペットシートが包装体に収納される際の第１山折り部および第２山折り部を、ペットシートとして利用される際のペットの排泄物の流出を抑制に利用することができる。
【００１１】
本発明に係るペットシートの更なる形態によれば、第１山折り部は、表面シートに平行、かつ第１方向に交差する第２方向における表面シートおよび裏面シートの一方側の端部領域に形成されている。また、第２山折り部は、第２方向における表面シートおよび裏面シートの他方側の端部領域に形成されている。
【００１２】
本形態によれば、第1山折り部と第２山折り部は、それぞれペットシートにおける端部付近の端部領域に形成されているため、第１山折り部と第２山折り部の間の距離を長くすることができる。すなわち、ペットシートとして、ペットの排泄物を受ける領域の面積を大きくすることができる。
【００１３】
本発明に係るペットシートの更なる形態によれば、表面シートと裏面シートの間に配置された吸収体を有している。そして、第１山折り部および第２山折り部には、当該第１山折り部および第２山折り部以外の領域に比べて吸収体の密度が低い低密度部が形成されている。
【００１４】
本形態によれば、第１山折り部および第２山折り部には、当該第１山折り部および第２山折り部以外の領域に比べて吸収体の密度が低い低密度部が形成されているため、第１山折り部および第２山折り部の低密度部でペットの排泄物である液体成分の拡散が抑制される。
【００１５】
本発明に係るペットシートの更なる形態によれば、吸収体は、表面シートに接着されている。そして、表面シートは、第１山折り部および第２山折り部で折り畳まれて不可逆的な変形を生じる構成である。
【００１６】
本形態によれば、吸収体が表面シートに接着された状態で、表面シートが不可逆的な変形を生じるため、第１山折り部と第２山折り部に配置された吸収体が表面シートの不可逆的な変形によって密度が低くなる。吸収体の密度が低い低密度部が形成されることで、ペットの排泄物である液体成分の拡散が抑制される。
【００１７】
本発明に係るペットシートの更なる形態によれば、ペットシートは、矩形状に形成されている。そして、第１山折り部と第２山折り部の稜線は、互いに平行に形成されている。なお、第１方向は、ペットシートの辺が延在する方向に一致しており、第１山折り部と第２山折り部の稜線は、矩形状のペットシートの辺に平行であることが好ましい。そして、第１山折り部と第２山折り部の稜線はそれぞれ、ペットシートの辺から８ｃｍ以内の領域に形成されていることがさらに好ましい。
【００１８】
本形態によれば、ペットシートの外形が矩形状に形成され、第１山折り部と第２山折り部の稜線は、ペットシートの辺に平行に配置されることで、ペットシートが包装体に収納される際にペットシートを合理的に折り畳むことができる。また、第１山折り部と第２山折り部の稜線がそれぞれ、ペットシートの辺から８ｃｍ以内の領域に形成されていることで、ペットシートの外周から８ｃｍ以上内側の領域で受けられたペットの排泄物をペットシートの外側に流出することを抑制できる。一般に、家の中で飼われる犬などのペットは、排泄する際の後脚の接地箇所から排泄部までの水平距離が平均８ｃｍ以上である。したがって、ペットは、後脚がペットシートに接地した状態で排泄すると、第１山折り部と第２山折り部の間の領域で排泄物が受けられる。そのため、第１山折り部と第２山折り部の稜線がそれぞれ、ペットシートの辺から８ｃｍ以内の領域に形成されていることが合理的である。
【００１９】
本発明に係るペットシート包装体パッケージは、透液性の表面シートと不透液性の裏面シートを有するペット排泄物用のペットシートと、当該ペットシートを収納した包装体からなるペットシート包装体パッケージが構成される。ペットシートには、表面シートと裏面シートを表面シート側に突出するように折り曲げられて形成された第１山折り部と第２山折り部が形成されている。そして、当該ペットシートは、山折り部で折り畳まれて包装体に収納されており、第１山折り部と第２山折り部のそれぞれの両側に位置する表面シートと裏面シートが展開されてペットシートとして使用されるように構成されている。さらに、第１山折り部と第２山折り部の表面シートに形成された稜線は、表面シートに平行な第１方向に沿って、第１方向における表面シートの一方の端部から他方の端部まで連続して延在している。
【００２０】
本発明によれば、包装体に収納される際に折り畳まれている第１山折り部と第２山折り部を利用して、ペットシートが展開されて使用される際に、ペットの排泄物である液体や固体が第１山折り部と第２山折り部の外側に流出することを抑制できる。
【００２１】
本発明に係るペットシート包装体パッケージの更なる形態によれば、第１山折り部と第２山折り部の間の表面シートおよび裏面シートが、ペットの排泄物を保持する保持領域として構成されている。さらに、第１山折り部を挟んで保持領域と反対側の領域と、第２山折り部を挟んで保持領域と反対側の領域がそれぞれ、ペットシートとして使用される際に、当該ペットシートが載置される載置箇所と当接し、これにより載置箇所に対するペットシートの移動を規制する移動規制部を構成している。
【００２２】
本形態によれば、第１山折り部と第２山折り部を形成することにより、第１山折り部と第２山折り部の間の表面シートおよび裏面シートが、ペットの排泄物を保持する保持領域として機能する。また、第１山折り部と第２山折り部が形成されていることにより、裏面シートにおける第１山折り部と第２山折り部の外側の領域が、ペットシートとして使用される際に、裏面シートが載置される載置箇所（床面）に対して当接する。換言すると、第１山折り部と第２山折り部の外側の領域はそれぞれ、第１山折り部および第２山折り部よりも低い位置に配置されるため、裏面シートが載置される載置箇所（床面）に対して確実に当接する。この裏面シートの載置箇所への当接により、移動規制部を形成している。したがって、ペットシートの周縁領域において、移動規制部がペットシートの移動を規制することができる。なお、移動規制部としては、さらに第１山折り部と第２山折り部の外側の領域における裏面シートに滑り止め部材が貼付けられていてもよい。
【００２３】
本発明に係るペットシート包装体パッケージの更なる形態によれば、第１山折り部は、表面シートに平行、かつ第１方向に交差する第２方向における表面シートおよび裏面シートの一方側の端部領域に形成されている。また、第２山折り部は、第２方向における表面シートおよび裏面シートの他方側の端部領域に形成されている。
【００２４】
本形態によれば、第1山折り部と第２山折り部は、それぞれペットシートにおける端部付近の端部領域に形成されているため、第１山折り部と第２山折り部の間の距離を長くすることができる。すなわち、ペットシートとして、ペットの排泄物を受ける領域の面積を大きくすることができる。
【００２５】
本発明に係るペットシート包装体パッケージの更なる形態によれば、ペットシートは、第２方向に関する第１山折り部と第２山折り部の間がさらに折り畳まれて包装体に収納されている。
【００２６】
本形態によれば、第１山折り部と第２山折り部の間がさらに折り曲げられることで、包装体に収納されるペットシートを小さくするができる。すなわち、ペットシート包装体パッケージを小型化することができる。
【発明の効果】
【００２７】
本発明によれば、ペットシートから尿などが流出することを抑制する新たな技術を提供することができる。
【図面の簡単な説明】
【００２８】
【図１】本発明の実施形態に係るペットシートの全体構成を示す斜視図である。
【図２】図１のII-II線における断面図である。
【図３】本発明の実施形態に係るパッケージの全体構成を示す斜視図である。
【図４】ペットシートの第１の折り畳み態様を示す図２相当の断面図である。
【図５】第１の折り畳み態様で折り畳まれたペットシートを収容したパッケージの図３のＡ−Ａ線における断面図である。
【図６】ペットシートの第２の折り畳み態様を示す図２相当の断面図である。
【図７】第２の折り畳み態様で折り畳まれたペットシートを収容したパッケージの図３のＡ−Ａ線における断面図である。
【図８】ペットシートの第３の折り畳み態様を示す図２相当の断面図である。
【図９】第３の折り畳み態様で折り畳まれたペットシートを収容したパッケージの図３のＡ−Ａ線における断面図である。
【図１０】ペットシートの第４の折り畳み態様を示す図２相当の断面図である。
【図１１】第４の折り畳み態様で折り畳まれたペットシートを収容したパッケージの図３のＡ−Ａ線における断面図である。
【発明を実施するための形態】
【００２９】
本発明の実施形態につき、図１〜図１１を参照して詳細に説明する。本実施形態は、ペットシートの一例であるペットシート１００を用いて説明する。ここでいう「ペット」には、脊椎動物（哺乳類、爬虫類、鳥類、両性類）や無脊椎動物が広く包含されるものであり、ペットシート１００は、特に哺乳類の一種であり、猫、犬、ウサギ、ハムスター等に対して好適に使用される。
【００３０】
図１に示すように、ペットシート１００は、所定のシート厚みを有する平板状のシートである。図２に示すように、ペットシート１００は、表面シート１１０、裏面シート１２０及び吸収体１３０を主体として構成されている。吸収体１３０は、表面シート１１０と裏面シート１２０の間に保持されている。このペットシート１００は、矩形（長方形ないし正方形）のシートとして構成されるのが好ましいが、円形、楕円形、多角形としても構成し得る。
【００３１】
図１において、ペットシート１００の横方向を第１の方向１０とした場合、当該シートの縦方向が、第１の方向１０と直交する第２の方向２０に相当する。また当該シートの法線方向が、第１の方向１０と第２の方向２０の双方に直交する第３の方向３０に相当する。
【００３２】
表面シート１１０及び裏面シート１２０は、概ね同寸法の矩形のシートであり、ペットシート１００の外形とほぼ相似形をなすように構成されている。図２に示すように、表面シート１１０は、ペットが排泄した排泄物を受けるように構成されており、尿等の液体を透過させる透液性のシートとして構成されている。裏面シート１２０は、表面シート１１０に対向して配置されている。この裏面シート１２０は、尿等の液体の透過を阻止ないし抑制するための不透液性或いは撥水性のシートとして構成されている。
【００３３】
表面シート１１０は、熱可塑性の不織布によって構成されるのが好ましい。この場合、表面シート１１０の全部或いは一部が熱可塑性の不織布によって形成され得る。なお、表面シート１１０は、折り曲げられた場合に、当該表面シート１１０を展開したときにも、折り曲げた部分の稜線が、完全に消滅しないように形成されている。すなわち、表面シート１１０は、不可逆的な変形を生じるように構成されている。
【００３４】
裏面シート１２０は、樹脂フィルムシートによって構成されるのが好ましい。この裏面シート１２０は、不透液性ないし撥水性であればよく、ポリエチレン、ポリプロピレン、ポリエチレンテレフタレートなどのフィルムを用いて構成することができ、例えば目付が１７［ｇ／ｍ２］のポリエチレン製フィルムを用いて構成することもできる。また不織布に撥水剤が塗布されたものを裏面シート１２０として用いることもできる。ここでいう［ｇ／ｍ２］は、目付を示す単位であり、１平方メートル（square meter）あたりの重量であるグラム（gram）を示す（gram divided by square meter）ものであり、以下に同様に使用する場合の説明は省略する。
【００３５】
表面シート１１０及び裏面シート１２０は、吸収体１３０よりも一回り大きい形状となるように構成されている。表面シート１１０と裏面シート１２０は、それぞれの周縁部１１１及び周縁部１２１にて互いに重ねられ、重なり部分が接合層１１２を介して接合されている。これにより、吸収体１３０の全面が、表面シート１１０或いは裏面シート１２０によって覆われている。この接合層としては、典型的には、ホットメルト接着剤、ヒートシール、超音波シールを用いることができる。ここでいう表面シート１１０及び裏面シート１２０がそれぞれ、本発明における「表面シート」及び「裏面シート」に対応する実施構成例である。
【００３６】
図２に示すように、吸収体１３０は、所定の厚みを有し、吸収体コア層１３１、分散層１３２、上側キャリアティッシュ１３３および下側キャリアティッシュ１３４を主体として構成されている。
【００３７】
吸収体コア層１３１は、典型的には、フラッフパルプを６０［ｇ／ｍ２］となるように積層された層として構成される。分散層１３２は、典型的には、複数の高吸収性ポリマー（「ＳＡＰ」ともいう）を３９［ｇ／ｍ２］となるように吸収体コア層１４１の上に散布して構成された層である。上側キャリアティッシュ１３３および下側キャリアティッシュ１３４は、典型的には、針葉樹パルプからなるティッシュ（例えば、１４［ｇ／ｍ２］のティッシュ）によって構成される。
【００３８】
吸収体コア層１３１および分散層１３２は、上側キャリアティッシュ１３３および下側キャリアティッシュ１３４によって取り囲まれるように構成されている。また、吸収体コア層１３１および分散層１３２はそれぞれ、ホットメルト接着剤からなる接着層１３５を介して上側キャリアティッシュ１３３および下側キャリアティッシュ１３４に接合されている。なお、吸収体１３０の上面と表面シート１１０は、ホットメルト接着剤により接合されている。この吸収体１３０が、本発明における「吸収体」に対応する実施構成例である。
【００３９】
このペットシート１００は、図１に示すように展開されて使用されるペット使用モードを有する。この使用モードには、ペットシートを床面等に直接的に敷設する形態や、ペットシートを保持ホルダに取り付けた状態で当該保持ホルダごと床面等に設置する形態などが包含される。
【００４０】
一方、このペットシート１００は、図３に示すように、包装袋２００に収納された収納モードを有する。すなわち、ペットシート１００は、包装袋２００に収納され、ペットシート１００と包装袋２００でパッケージ３００を構成する。この収容モードによれば、平板状のペットシート１００を複数準備し、それぞれ所定の形状に折り畳まれて、複数のペットシート１００を１つの収容袋２００に収容した上で、販売、陳列、運搬などを行うことができる。この包装袋２００が、本発明の「包装体」に対応する実施構成例である。
【００４１】
次に、収納モードにおけるペットシート１００の折り畳み態様および収納態様を図４〜図１１を参照して説明する。
【００４２】
図４に、ペットシート１００に関する第１の折り畳み態様を示す。第１の折り畳み態様においては、ペットシート１００に、表面シート１１０側に突出する第１折り曲げ部１４０および第２折り曲げ部１４１と、裏面シート１２０側に突出する第３折り曲げ部１５０および第４折り曲げ部１５１が形成されている。すなわち、表面シート１１０を上側、裏面シート１２０を下側としたときに、第１折り曲げ部１４０および第２折り曲げ部１４１は山折り状に形成されており、第３折り曲げ部１５０および第４折り曲げ部１５１は谷折り状に形成されている。これら第１〜第４折り曲げ部１４０，１４１，１５０，１５１はそれぞれ、ペットシート１００の長手方向（図１の矢印１０の方向）に延在しており、ペットシート１００の端部から端部まで連続して形成されている。
【００４３】
ペットシート１００を展開した時に、第１折り曲げ部１４０は、ペットシート１００の短手方向（図１の矢印２０の方向）における一方の端部側に形成されており、第２折り曲げ部１４１は、他方の端部側に形成されている。そして、第３折り曲げ部１５０および第４折り曲げ部１５１は、ペットシート１００の短手方向における第１折り曲げ部１４０と第２折り曲げ部１４１の間に形成されている。すなわち、ペットシート１００の短手方向に関して、第１折り曲げ部１４０と第２折り曲げ部１４１よりもペットシート１００の端部側には、折り曲げ部は形成されていない。この第１折り曲げ部１４０、第２折り曲げ部１４１がそれぞれ、本発明における「第１山折り部」、「第２山折り部」に対応する実施構成例である。
【００４４】
図５に示すように、第１の収納態様は、図４に示されたように折り畳まれた複数のペットシート１００が積層されて包装袋２００に包装され、パッケージ３００を構成している。なお、ペットシート１００は、第１〜第４折り曲げ部１４０，１４１，１５０，１５１以外に、ペットシート１００の短手方向（図１の矢印２０の方向）に延在する折り曲げ部がさらに形成されていてもよい。すなわち、ペットシート１００の短手方向に延在する折り曲げ部でペットシート１００が折り曲げられて包装袋２００に収納されていてもよい。このパッケージ３００が、本発明における「ペットシート包装体パッケージ」に対応する実施構成例である。
【００４５】
図６に、ペットシート１００に関する第２の折り畳み態様を示す。第２の折り畳み態様においては、ペットシート１００に、表面シート１１０側に突出する第１折り曲げ部１４０、第２折り曲げ部１４１、第３折り曲げ部１４２および第４折り曲げ部１４３が形成されている。すなわち、表面シート１１０を上側、裏面シート１２０を下側としたときに、第１〜第４折り曲げ部１４０〜１４３は山折り状に形成されている。これら第１〜第４折り曲げ部１４０〜１４３はそれぞれ、ペットシート１００の長手方向（図１の矢印１０の方向）に延在しており、ペットシート１００の端部から端部まで連続して形成されている。
【００４６】
ペットシート１００を展開した時に、第１折り曲げ部１４０は、ペットシート１００の短手方向（図１の矢印２０の方向）における一方の端部側に形成されており、第２折り曲げ部１４１は、他方の端部側に形成されている。そして、第３折り曲げ部１４２および第４折り曲げ部１４３は、ペットシート１００の短手方向における第１折り曲げ部１４０と第２折り曲げ部１４１の間に形成されている。すなわち、ペットシート１００の短手方向に関して、第１折り曲げ部１４０と第２折り曲げ部１４１よりもペットシート１００の端部側には、折り曲げ部は形成されていない。この第１〜第４折り曲げ部１４０〜１４３のうちの２つの折り曲げ部がそれぞれ、本発明における「第１山折り部」、「第２山折り部」に対応する実施構成例である。
【００４７】
図７に示すように、第２の収納態様は、図６に示されたように折り畳まれた複数のペットシート１００が積層されて包装袋２００に包装され、パッケージ３００を構成している。なお、ペットシート１００は、第１〜第４折り曲げ部１４０〜１４３以外に、ペットシート１００の短手方向（図１の矢印２０の方向）に延在する折り曲げ部がさらに形成されていてもよい。すなわち、ペットシート１００の短手方向に延在する折り曲げ部でペットシート１００が折り曲げられて包装袋２００に収納されていてもよい。このパッケージ３００が、本発明における「ペットシート包装体パッケージ」に対応する実施構成例である。
【００４８】
図８に、ペットシート１００に関する第３の折り畳み態様を示す。第３の折り畳み態様においては、ペットシート１００に、表面シート１１０側に突出する第１折り曲げ部１４０および第２折り曲げ部１４１と、裏面シート１２０側に突出する第３折り曲げ部１５０が形成されている。すなわち、表面シート１１０を上側、裏面シート１２０を下側としたときに、第１折り曲げ部１４０および第２折り曲げ部１４１は山折り状に形成されており、第３折り曲げ部１５０は谷折り状に形成されている。これら第１〜第３折り曲げ部１４０，１４１，１５０はそれぞれ、ペットシート１００の長手方向（図１の矢印１０の方向）に延在しており、ペットシート１００の端部から端部まで連続して形成されている。
【００４９】
ペットシート１００を展開した時に、第１折り曲げ部１４０は、ペットシート１００の短手方向（図１の矢印２０の方向）における一方の端部側に形成されており、第２折り曲げ部１４１は、他方の端部側に形成されている。そして、第３折り曲げ部１５０は、ペットシート１００の短手方向における第１折り曲げ部１４０と第２折り曲げ部１４１の間に形成されている。すなわち、ペットシート１００の短手方向に関して、第１折り曲げ部１４０と第２折り曲げ部１４１よりもペットシート１００の端部側には、折り曲げ部は形成されていない。この第１折り曲げ部１４０、第２折り曲げ部１４１がそれぞれ、本発明における「第１山折り部」、「第２山折り部」に対応する実施構成例である。
【００５０】
図９に示すように、第３の収納態様は、図８に示されたように折り畳まれた複数のペットシート１００が積層されて包装袋２００に包装され、パッケージ３００を構成している。このとき、複数のペットシート１００は、第１折り曲げ部１４０と第２折り曲げ部１４１で折り曲げられたペットシート１００の端部側の領域が、隣接するペットシート１００で互いに重ならないように積層されている。すなわち、最下層のペットシート１００は、第１折り曲げ部１４０および第２折り曲げ部１４１が図９の左側に位置し、その上に積層されたペットシート１００は、第１折り曲げ部１４０および第２折り曲げ部１４１が図９の右側に位置するように配置されている。なお、ペットシート１００は、第１〜第３折り曲げ部１４０，１４１，１５０以外に、ペットシート１００の短手方向（図１の矢印２０の方向）に延在する折り曲げ部がさらに形成されていてもよい。すなわち、ペットシート１００の短手方向に延在する折り曲げ部でペットシート１００が折り曲げられて包装袋２００に収納されていてもよい。このパッケージ３００が、本発明における「ペットシート包装体パッケージ」に対応する実施構成例である。
【００５１】
図１０に、ペットシート１００に関する第４の折り畳み態様を示す。第４の折り畳み態様においては、ペットシート１００に、表面シート１１０側に突出する第１折り曲げ部１４０、第２折り曲げ部１４１および第３折り曲げ部１４２が形成されている。すなわち、表面シート１１０を上側、裏面シート１２０を下側としたときに、第１〜第３折り曲げ部１４０〜１４２は山折り状に形成されている。これら第１〜第３折り曲げ部１４０〜１４２はそれぞれ、ペットシート１００の長手方向（図１の矢印１０の方向）に延在しており、ペットシート１００の端部から端部まで連続して形成されている。
【００５２】
ペットシート１００を展開した時に、第１折り曲げ部１４０は、ペットシート１００の短手方向（図１の矢印２０の方向）における一方の端部側に形成されており、第２折り曲げ部１４１は、他方の端部側に形成されている。そして、第３折り曲げ部１４２は、ペットシート１００の短手方向における第１折り曲げ部１４０と第２折り曲げ部１４１の間に形成されている。すなわち、ペットシート１００の短手方向に関して、第１折り曲げ部１４０と第２折り曲げ部１４１よりもペットシート１００の端部側には、折り曲げ部は形成されていない。この第１〜第３折り曲げ部１４０〜１４２のうち２つの折り曲げ部がそれぞれ、本発明における「第１山折り部」、「第２山折り部」に対応する実施構成例である。
【００５３】
図１１に示すように、第３の収納態様は、図１０に示されたように折り畳まれた複数のペットシート１００が積層されて包装袋２００に包装され、パッケージ３００を構成している。このとき、複数のペットシート１００は、第１折り曲げ部１４０と第２折り曲げ部１４１で折り曲げられたペットシート１００の端部側の領域が、隣接するペットシート１００で互いに重ならないように積層されている。すなわち、最下層のペットシート１００は、第１折り曲げ部１４０および第２折り曲げ部１４１が図１１の左側に位置し、その上に積層されたペットシート１００は、第１折り曲げ部１４０および第２折り曲げ部１４１が図１１の右側に位置するように配置されている。なお、ペットシート１００は、第１〜第３折り曲げ部１４０〜１４２以外に、ペットシート１００の短手方向（図１の矢印２０の方向）に延在する折り曲げ部がさらに形成されていてもよい。すなわち、ペットシート１００の短手方向に延在する折り曲げ部でペットシート１００が折り曲げられて包装袋２００に収納されていてもよい。このパッケージ３００が、本発明における「ペットシート包装体パッケージ」に対応する実施構成例である。
【００５４】
第１〜第４の折り畳み態様においても、第１折り曲げ部１４０および第２折り曲げ部１４１は、ペットシート１００の端部から８ｃｍ以内の領域に形成されていることが好ましい。また、各折り曲げ部は、ペットシート１００に対して対称に配置されていてもよく、一方で、非対称に配置されていてもよい。
【００５５】
次に、ペットシート１００のペット使用モードについて説明する。図１に示すように、第１〜第４の折り畳み態様のいずれのペットシート１００も、ペットシート１００は展開されて、裏面シート１２０が床面等に載置され、表面シート１１０の上面側でペットの排泄物を受けるように構成されている。なお、図１においては、第１折り曲げ部１４０および第２折り曲げ部１４１のみ図示しており、その他の折り曲げ部は便宜上図示していない。
【００５６】
包装袋２００から取り出されたペットシート１００は、表面シート１１０が不可逆的な変形を生じるように構成されているため、ペットシート１００が展開されても第１折り曲げ部１４０および第２折り曲げ部１４１の稜線はそれぞれ形成された状態を保っている。そのため、第１折り曲げ部１４０および第２折り曲げ部１４１の稜線は、ペットシート１００の他の領域よりも、床面から高い位置に保持される。
【００５７】
第１折り曲げ部１４０および第２折り曲げ部１４１の稜線は、ペットシート１００の他の領域よりも、床面から高い位置に保持されるため、第１折り曲げ部１４０および第２折り曲げ部１４１の外側の領域において、第１折り曲げ部１４０および第２折り曲げ部１４１の自重を受けて、裏面シート１２０は確実に床面に当接する。すなわち、床面と確実に当接する当接領域１２２が構成される。したがって、当接領域１２２と床面の摩擦によって、ペットシート１００が面方向に移動することを抑制できる。この当接領域１２２が、本発明における「移動規制部」に対応する実施構成例である。
【００５８】
また、吸収体１３０は、表面シート１１０に全体的に接着剤で接合されているため、ペットシート１００が展開されると、吸収体１３０の表面シート１１０に接合された側は、第１折り曲げ部１４０および第２折り曲げ部１４１における表面シート１１０と同様に折り曲げられた形状を保持したままである。一方で、吸収体１３０の裏面シート１２０側は、裏面シート１２０とともに初期状態へ戻るように変形する。これにより、第１折り曲げ部１４０および第２折り曲げ部１４１に配置された吸収体１３０は、層間剥離を生じ、他の領域に配置された吸収体１３０に比べて密度が低くなる。すなわち、第１折り曲げ部１４０および第２折り曲げ部１４１には、吸収体１３０において、部分的に密度が低い低密度部が形成される。この低密度部が、本発明における「低密度部」に対応する実施構成例である。
【００５９】
この第１折り曲げ部１４０および第２折り曲げ部１４１は、ペットシート１００の端部からの距離（図２のＬで示される長さ）が、８ｃｍ以内の領域に形成されている。発明者は、ペットして一般に飼育される体重４ｋｇ以上の犬１５頭について調査を行ったところ、犬１５頭の平均体重は６．２ｋｇであり、後脚の最外部から排泄部（肛門等）までの距離は平均８ｃｍであることを知見した。なお、小型犬よりも中型犬以上の犬の方が排泄物の量が多いことを考慮して、４ｋｇ以上の犬を調査対象とした。すなわち、当該犬がペットシート１００に載った状態で排泄する際に、ペットシート１００の端部から８ｃｍ以上中心に離れた領域に排泄物は排泄される。したがって、第１折り曲げ部１４０と第２折り曲げ部１４１の間の領域は、排泄物が排泄される排泄領域１６０として規定される。この排泄領域１６０が、本発明における「保持領域」に対応する実施構成例である。
【００６０】
排泄領域１６０に排泄された排泄物のうち液体成分は、透液性の表面シート１１０を透過して表面シート１１０から吸収体１３０に向かって移動するだけでなく、表面シート１１０の表面および／または内部を移動して拡散する。しかしながら、第１折り曲げ部１４０および第２折り曲げ部１４１の稜線は、ペットシート１００の他の領域よりも、床面から高い位置に保持されているため、表面シート１１０の表面および／または内部を移動する液体成分が、第１折り曲げ部１４０および第２折り曲げ部１４１よりも外側の領域に流出することを抑制できる。
【００６１】
また、吸収体１３０に移動した液体成分も吸収体１３０の内部を移動して、吸収体１３０の面方向に拡散する。しかしながら、第１折り曲げ部１４０および第２折り曲げ部１４１には、吸収体１３０において、部分的に密度が低い低密度部が形成されているため、吸収体１３０の内部を移動する液体成分が、第１折り曲げ部１４０および第２折り曲げ部１４１よりも外側の領域に流出することを抑制できる。
【００６２】
以上の本実施形態によれば、ペットシート１００は、包装袋２００に収納された収納モードにおいては、第１折り曲げ部１４０および第２折り曲げ部１４１で折り畳まれて収納されている。一方、使用モードにおいては、ペットシート１００の第１折り曲げ部１４０および第２折り曲げ部１４１が排泄物の液体成分が、第１折り曲げ部１４０および第２折り曲げ部１４１よりも外側の領域に流出することを抑制する。すなわち、収納モードにおけるペットシート１００の折り曲げ部を利用して、排泄物の液体成分が外部に流出することを抑制することができる。
【００６３】
また、本実施形態によれば、ペットシート１００は矩形状に形成されており、第１折り曲げ部１４０と第２折り曲げ部１４１の稜線が、ペットシート１００の長辺に平行に形成されているため、ペットシート１００を合理的に折り畳むことができる。
【００６４】
また、本実施形態によれば、吸収体１３０は、表面シート１１０に接合されているため、第１折り曲げ部１４０および第２折り曲げ部１４１で折り畳まれたペットシート１００を展開するだけで、第１折り曲げ部１４０および第２折り曲げ部１４１に他の領域よりも吸収体１３０の密度が低い低密度部を容易に形成することができる。
【００６５】
以上の本実施形態では、ペットシート１００は矩形状に形成されていたが、矩形以外の形状であってもよい。また、第１折り曲げ部１４０と第２折り曲げ部１４１の稜線が、ペットシート１００の外形の辺と平行に形成されていなくてもよい。また、第１折り曲げ部１４０の稜線が第２折り曲げ部１４１の稜線と平行に形成されていなくてもよい。
【００６６】
また以上では、ペットシート１００の長辺に平行に第１折り曲げ部１４０および第２折り曲げ部１４１が形成されていたが、第１折り曲げ部１４０および第２折り曲げ部１４１は、ペットシート１００の短辺に平行に形成されていてもよい。
【００６７】
また以上では、ペットシート１００の長辺に平行に第１折り曲げ部１４０および第２折り曲げ部１４１が形成されていたが、さらに、ペットシート１００の短辺に平行に、第１折り曲げ部１４０と第２折り曲げ部１４１を結ぶように、第３折り曲げ部および第４折り曲げ部が表面シート１１０側に突出するように形成されていてもよい。
【００６８】
また、以上においては、吸収体１３０は、カチオン系界面活性剤を含む親水性繊維で構成されていてもよい。カチオン系界面活性剤が親水性繊維と結合することにより、第１折り曲げ部１４０と第２折り曲げ部１４１で折り畳まれたペットシート１００を展開したときに、第１折り曲げ部１４０と第２折り曲げ部１４１の親水性繊維同士が層間剥離しやすくなり、低密度部が形成されやすくなる。
【００６９】
また、以上においては、吸収体１３０は、リサイクルされた親水性繊維で構成されていてもよい。リサイクルされた親水性繊維を含むことにより、一度開繊された親水性繊維が再度開繊されることにより、繊維長がより短い親水性繊維となり、第１折り曲げ部１４０と第２折り曲げ部１４１で折り畳まれたペットシート１００を展開したときに、第１折り曲げ部１４０と第２折り曲げ部１４１の親水性繊維が層間剥離しやすくなり、低密度部が形成されやすくなる。
【００７０】
また以上では、第１折り曲げ部１４０および第２折り曲げ部１４１で折り畳まれたペットシート１００を展開することで、第１折り曲げ部１４０および第２折り曲げ部１４１に他の領域よりも吸収体１３０の密度が低い低密度部を形成していたが、これには限られず、予め密度が低い吸収体１３０を第１折り曲げ部１４０および第２折り曲げ部１４１に配置することで、第１折り曲げ部１４０および第２折り曲げ部１４１対応する部分の吸収体１３０の密度が低くなるように構成してもよい。
【００７１】
また以上では、第１折り曲げ部１４０および第２折り曲げ部１４１の外側の領域における床面と当接する裏面シート１２０が、移動規制部として構成されていたが、さらに当該裏面シート１２０の床面と当接する側にゴムや樹脂などで形成された滑り止めが貼り付けられていてもよい。
【００７２】
（実施形態の各構成要素と本発明の各構成要素の対応関係）
本実施形態は、本発明を実施するための形態の一例を示すものである。したがって、本発明は、本実施形態の構成に限定されるものではない。なお、本実施形態の各構成要素と本発明の各構成要素の対応関係を以下に示す。
ペットシート１００は、本発明の「ペットシート」に対応する構成の一例である。
表面シート１１０は、本発明の「表面シート」に対応する構成の一例である。
裏面シート１２０は、本発明の「裏面シート」に対応する構成の一例である。
当接領域１２２は、本発明の「移動規制部」に対応する構成の一例である。
吸収体１３０は、本発明の「吸収体」に対応する構成の一例である。
吸収体コア層１３１は、本発明の「吸収層」に対応する構成の一例である。
分散層１３２は、本発明の「吸収層」に対応する構成の一例である。
上側キャリアティッシュ１３３は、本発明の「被覆層」に対応する構成の一例である。
下側キャリアティッシュ１３４は、本発明の「被覆層」に対応する構成の一例である。
第１折り曲げ部１４０は、本発明の「第１山折り部」に対応する構成の一例である。
第２折り曲げ部１４１は、本発明の「第２山折り部」に対応する構成の一例である。
包装袋２００は、本発明の「包装体」に対応する構成の一例である。
吸収体１３０において、第１折り曲げ部１４０および第２折り曲げ部１４１に対応した領域に形成された部分的に密度が低い低密度部は、本発明の「低密度部」に対応する構成の一例である。
排泄領域１６０は、本発明の「保持領域」に対応する構成の一例である。
パッケージ３００は、本発明の「ペットシート包装体パッケージ」に対応する構成の一例である。
矢印１０の方向が、本発明の「第１方向」に対応する構成の一例である。
矢印２０の方向が、本発明の「第２方向」に対応する構成の一例である。
排泄領域１６０は、態様における「内側領域」に対応する構成の一例である。
【００７３】
以上の発明の趣旨に鑑み、本発明に係るペットシートおよびペットシート包装体パッケージは、下記の態様が構成可能である。
（態様１）
「透液性の表面シートと不透液性の裏面シートを有するペット排泄物用のペットシートであって、
前記表面シートと前記裏面シートを前記表面シート側に突出するように折り曲げられて形成された第１山折り部と第２山折り部を有し、
前記第１山折り部と前記第２山折り部のそれぞれの両側に位置する前記表面シートと前記裏面シートが展開されてペットシートとして使用されるよう構成されており、
前記第１山折り部と前記第２山折り部の前記表面シートに形成された稜線は、前記表面シートに平行な第１方向に沿って、前記第１方向における前記表面シートの一方の端部から他方の端部まで連続して延在している構成であることを特徴とするペットシート。」
【００７４】
（態様２）
「態様１に記載のペットシートであって、
前記第１山折り部と前記第２山折り部の間の前記表面シートおよび前記裏面シートが、ペットの排泄物を保持する保持領域として構成されていることを特徴とするペットシート。」
【００７５】
（態様３）
「態様２に記載のペットシートであって、
前記第１山折り部を挟んで前記保持領域と反対側の領域と、前記第２山折り部を挟んで前記保持領域と反対側の領域がそれぞれ、前記ペットシートとして使用される際に、当該ペットシートが載置される載置箇所と当接し、前記載置箇所に対する前記ペットシートの移動を規制する移動規制部を構成していることを特徴とするペットシート。」
【００７６】
（態様４）
「態様１〜３のいずれか１つに記載のペットシートであって、
前記ペットシートは、包装体に収納可能に構成されており、
前記包装体に収納された収納状態においては、前記第１山折り部および前記第２山折り部で折り畳まれて収納されていることを特徴とするペットシート。」
【００７７】
（態様５）
「態様１〜４のいずれか１つに記載のペットシートであって、
前記第１山折り部は、前記表面シートに平行、かつ前記第１方向に交差する第２方向における前記表面シートおよび前記裏面シートの一方側の端部領域に形成されており、
前記第２山折り部は、前記第２方向における前記表面シートおよび前記裏面シートの他方側の端部領域に形成されていることを特徴とするペットシート。」
【００７８】
（態様６）
「態様１〜５のいずれか１つに記載のペットシートであって、
前記表面シートと前記裏面シートの間に配置された吸収体を有し、
前記第１山折り部および前記第２山折り部には、当該第１山折り部および第２山折り部以外の領域に比べて前記吸収体の密度が低い低密度部が形成されていることを特徴とするペットシート。」
【００７９】
（態様７）
「態様６に記載のペットシートであって、
前記吸収体は、前記表面シートに接着されており、
前記表面シートは、前記第１山折り部および前記第２山折り部で折り畳まれて不可逆的な変形を生じる構成であることを特徴とするペットシート。」
【００８０】
（態様８）
「態様１〜７のいずれか１つに記載のペットシートであって、
前記ペットシートは、矩形状に形成されていることを特徴とするペットシート。」
【００８１】
（態様９）
「態様８に記載のペットシートであって、
前記第１山折り部と前記第２山折り部の前記稜線は、互いに平行に形成されていることを特徴とするペットシート。」
【００８２】
（態様１０）
「態様９に記載のペットシートであって、
前記第１方向は、前記ペットシートの辺が延在する方向に一致しており、
前記稜線は、当該辺に平行に形成されていることを特徴とするペットシート。」
【００８３】
（態様１１）
「態様１０に記載のペットシートであって、
前記第１山折り部と前記第２山折り部の稜線はそれぞれ、前記ペットシートの前記辺から８ｃｍ以内の領域に形成されていることを特徴とするペットシート。」
【００８４】
（態様１２）
「態様１〜１１のいずれか１つに記載のペットシートであって、
前記表面シートに平行、かつ前記第１方向に交差する第２方向に延在する第３山折り部と第４山折り部とを有し、
前記第３山折り部と前記第４山折り部は、
前記第１山折り部から前記第２山折り部までに連続して延在し、前記表面シートと前記裏面シートを前記表面シート側に突出するように折り曲げられて形成された構成であることを特徴とするペットシート。」
【００８５】
（態様１３）
「態様１〜５のいずれか１つに記載のペットシートであって、
前記表面シートと前記裏面シートの間に配置された吸収体を有し、
前記吸収体は、液体を吸収可能な吸収層を有しており、
前記吸収層は、前記表面シートに平行、かつ前記第１方向に交差する第２方向に関して、前記第１山折り部および前記第２山折り部より当該ペットシートの端部側の領域まで延在していることを特徴とするペットシート。」
【００８６】
（態様１４）
「態様１３に記載のペットシートであって、
前記吸収体は、前記吸収層を覆う被覆層を有しており、
前記被覆層は、前記吸収層と前記表面シートの間と前記吸収層と前記裏面シートの間に配置されていることを特徴とするペットシート。」
【００８７】
（態様１５）
「態様１４に記載のペットシートであって、
前記被覆層は、前記吸収層の上面を覆うとともに、前記第２方向における前記吸収層の一方の端部と前記第２方向における他方の端部を覆って、前記吸収層の下面まで連続して配置されていることを特徴とするペットシート。」
【００８８】
（態様１６）
「態様１〜１５のいずれか１つに記載されたペットシートと、当該ペットシートを収納した包装体からなるペットシート包装体パッケージ。」
【００８９】
（態様１７）
「態様１６に記載のペットシート包装体パッケージであって、
前記ペットシートは、前記第１山折り部と前記第２山折り部で折り曲げられた当該ペットシートが展開された時に、当該ペットシートの面方向における前記第１山折り部と前記第２山折り部よりも当該ペットシートのそれぞれの端部側に位置する端部側領域と、当該ペットシートの面方向における前記第１山折り部と前記第２山折り部を挟んで前記端部側領域と反対側に位置する内側領域と、を有しており、
前記ペットシートは、それぞれの前記端部側領域が、前記内側領域とそれぞれ重なるように折り畳まれて前記包装体に収納されており、
複数の前記ペットシートは、隣接するペットシートの前記端部側領域が互いに重ならないように積層されて前記包装体に収納されていることを特徴とするペットシート包装体パッケージ。」
【００９０】
(態様１８)
「態様１７に記載のペットシート包装体パッケージであって、
前記ペットシートは、前記端部側領域の前記表面シートと前記内側領域の前記表面シートが当接するように折り畳まれて前記包装体に収納されていることを特徴とするペットシート包装体パッケージ。」
【符号の説明】
【００９１】
１００  ペットシート
１１０  表面シート
１１１  周縁部
１１２  接合層
１２０  裏面シート
１２１  周縁部
１２２  当接領域
１３０  吸収体
１３１  吸収体コア層
１３２  分散層
１３３  上側キャリアティッシュ
１３４  上側キャリアティッシュ
１３５  接着層
１４０  第１折り曲げ部
１４１  第２折り曲げ部
１４２  第３折り曲げ部
１５０  第３折り曲げ部
１５１  第４折り曲げ部
１６０  排泄領域
２００  包装袋
３００  パッケージ
【図１】
2014014287.tif 000003
【図２】
2014014287.tif 000004
【図３】
2014014287.tif 000005
【図４】
2014014287.tif 000006
【図５】
2014014287.tif 000007
【図６】
2014014287.tif 000008
【図７】
2014014287.tif 000009
【図８】
2014014287.tif 000010
【図９】
2014014287.tif 000011
【図１０】
2014014287.tif 000012
【図１１】
2014014287.tif 000013